(57)【要約】【課題】既成の便座にも装着可能な便座着脱式体重計の提供。【解決手段】着座式便器の便座上面に載置するシート状荷重センサと、該荷重センサからの信号に基づいて体重を演算する演算部と、前記演算部で演算した体重を表示する表示部とを含む便座着脱式体重計。荷重センサは加圧導電ゴムからなる。【選択図】図１
2005049174.tif 000002
【特許請求の範囲】
【請求項１】
着座式便器の便座上面に載置するシート状荷重センサと、該荷重センサからの信号に基づいて体重を演算する演算部と、前記演算部で演算した体重を表示する表示部とを含む、便座着脱式体重計。
【請求項２】
前記荷重センサが、加圧導電ゴムからなる請求項１に記載の便座着脱式体重計。
【請求項３】
前記演算部で演算した体重を記憶する記憶部をさらに含む請求項１または２に記載の便座着脱式体重計。
【請求項４】
前記記憶部からのデータを出力する出力ポートを有する請求項３に記載の便座着脱式体重計。
【発明の詳細な説明】
【０００１】
【発明の属する技術分野】
本発明は、既成の便座にも装着可能な便座着脱式体重計に関する。
【０００２】
【従来の技術】
昨今、健康意識の高まりから日常的に体重が測定される。健康管理のために、高頻度で測定することも多い状況から、便器に体重測定機能を組込ませ、用便時に体重測定することが提案されている（たとえば特許文献１〜３など参照）。これにより、体重計に載る手間、場合によっては測定のつど計器を出し入れする手間の煩わしさを避けることができる。また便座に着座することにより自動的に測定し、データを記録する機能を付すことによって、排泄前後の体重変化もしくはそれによる排出量を知ることもでき、体重を測定し忘れることもない。体重管理のためのメモリ機能、差分計算などの付加的な演算機能を備えたもの（たとえば特許文献４〜５など参照）も種々提案されている。
【０００３】
便器に組込ませる体重測定の構成要素は、通常、着座により体重を感知する荷重センサ、感知した信号を体重に変換する演算部、および体重の表示部を含む。この荷重センサとして、歪みゲージ、静電容量センサ、ピエゾ圧電素子などを利用することが提案されている（たとえば特許文献６など参照）。
上記荷重センサは、通常、便器の上面に載置する便座の内部ないし裏面部分、特に着座時に押圧される便座の脚（支持）部に組込まれる。たとえば上記特許文献１では、便座裏面の被押圧部分および便座のヒンジ部に取り付けた複数の圧力センサで検出される各値を加算して体重に変換している。このような荷重測定精度を上げるための方法もいくつか提案されており、４点の脚部に均等な圧がかかるように荷重センサを特定位置に配置する方法（たとえば特許文献７参照）、蓋位置を正確に把握して零点調節する方法（たとえば特許文献８など参照）などの開示がある。さらに液体を密封した荷重圧力容器を複数個連通して押圧力を均等化するた圧力センサの開示もある（特許文献９参照）。
【０００４】
【特許文献１】
特開平４−３６７６３８号公報
【特許文献２】
特開２０００−２０１８５８号公報
【特許文献３】
特開２００１−７０２０１号公報
【特許文献４】
特開２０００−８３８６６号公報
【特許文献５】
特開２０００−２５４０４２号公報
【特許文献６】
特開２００２−４８６３１号公報
【特許文献７】
特開２００１−３３６９６９号公報
【特許文献８】
特開２００３−７０６８８号公報
【特許文献９】
特開平１１−３２６０２１号公報
【０００５】
【発明が解決しようとする課題】
従来提案されている体重測定機能付き便器は、通常、荷重検出手段が便座内部もしくは支持部に組込まれた構造であり、すでに設置された既成の便器に組込むことは困難であり、少なくとも便座を取替える必要がある。このため本発明は、着座式（洋式）であれば既成の便器にも容易に装着可能な、便座着脱式体重計を提供することを目的としている。
【０００６】
【課題を解決するための手段】
本発明では、荷重センサを、便座上面のほぼ全面を覆うシート形状とすることにより、上記課題を解決した。シート状の荷重センサであれば、既成設置の便器にも、便座を取替えることなく容易に装着して体重計を付設することができ、また、着座した際の身体の便座上面との当接部分として、該シートと接面させることにより、広い面で重量変化を感知することができる。
このような本発明では、着座式便器の便座上面に沿って載置するシート状荷重センサと、該荷重センサからの信号に基づいて体重を演算する演算部と、前記演算部で演算した体重を表示する表示部とを含む便座着脱式体重計を提供する。
荷重センサのシート形状は、着座により便座上面にかかる荷重を受けるシート面を有するように、通常便座上面を覆うようなＵ字状であることが好ましい。
【０００７】
上記荷重センサは、具体的に加圧導電ゴムからなる。この態様の体重計は、シートへの電圧印加手段を含む。加圧導電ゴムは、圧力−抵抗変換素子であり、電圧印加状態での荷重により、加圧導電ゴムの電気抵抗値が変化する。荷重センサからは、荷重による電気抵抗値の変化が信号として演算部に送出される。演算部において、電気抵抗値の変化（信号）を体重に変換する。
本発明における荷重センサはシート状体であり、具体的には通常、上記荷重センサとしての加圧導電ゴムを防水フィルム間に挟持した形態である。この際、防水フィルム間に挟持に挟持する加圧導電ゴムは連続シートの形態でもよいが、複数個配置した形態でもよい。
【０００８】
上記表示部および演算部を、上記荷重センサを配したシートの延長部分に配置し、荷重センサ、演算部および表示部を一体化したシートとしてもよい。また表示部および演算部を壁などに配置してもよく、床に載置してもよい。
また上記シートのずれを防ぐため、シートの一部たとえばシート外周の背部中心相当部分にテープを固定し、このテープの先端に固定手段を付し、便器（蓋）などに固定することができる。
【０００９】
上記体重計は、上記演算部で演算した体重を記憶する記憶部をさらに含む態様も好ましい。記憶部を有する態様では、たとえば用便前の体重を記憶させることにより、用便前後の体重変化すなわち排泄量を演算部で算出し、表示部に表示することもできる。
またたとえば上記記憶部に記憶された体重から個人別の１日あたりの平均体重を算出し、個人別に記憶部に最新の所定日数分保存する態様も挙げられる。
【００１０】
記憶部からのデータを出力する出力ポートを有する態様も好ましい。たとえば上記記憶部に保存された所定日数分のデータを、定期的にパソコンに取り込むことができる。
【００１１】
【発明の実施の形態】
以下、本発明に係る便座着脱式体重計を図を参照して説明する。
図１は、本発明の便座着脱式体重計（以下体重計と略称）を便器に装着した状態の好ましい一実施形態例を示す斜視図であり、図２は体重計の構成図である。
図１に示す実施例では、体重計１は、荷重センサ１０１を内蔵し、着座式便器２の略Ｕ字状の便座２１に沿う形状のシート  （以下荷重シートと称す）１０と、荷重シート１０の延長端部に配置されたシート状操作パネル１１とを有し、これらが一体に構成されている。操作パネル１１は、内部に、演算部１１３ａ  （図２参照）を備えた基盤１１３を含み、その表面に、電源スイッチ１１１および液晶表示部１１２を有する。荷重シート１０（荷重センサ１０１）と操作パネル１１（基盤１１３）とは、シートの延長部内に配置されたライン１２を介して電気的に接続されている。
【００１２】
荷重シート１０の外周の少なくとも一部（図１では背部中心相当部分）には、使用時、着座などによるずれを防ぐために、便器側の固定手段２２１に係止しうる固定手段１０６  （図５参照）を備えたテープ１０５などで便器２（たとえば蓋２２）に固定されている。固定手段１０６および２２１は、着脱可能な面ファスナーでもよい。
【００１３】
図３に荷重シート１０の部分断面図を示す。荷重シート１０は、上面フィルム１０２および下面フィルム１０３と、これら２枚のフィルム間に配置され、挟持された複数個の加圧導電ゴム（荷重センサ）１０１とを含む。上面フィルム１０２および下面フィルム１０３には、両者間に直流電圧を印加する電源に接続された配線１０４が配置されている。
【００１４】
上記体重計１は、荷重シート１０部分を、便器本体２０に載置された便座２１の上面に沿うように載置することにより、便器２に装着される。このように装着された体重計１により、体重を測定する手順を、図２の構成図および図４の使用状態説明図を参照して説明する。
電源スイッチ１１１を入れることにより、上面フィルム１０２および下面フィルム１０３間には、直流電圧（たとえばＤＣ１２Ｖ）が印加される。
この状態で、便座２１に着座すると、荷重シート１０への荷重により、加圧導電ゴム１０１が押圧される。加圧導電ゴム１０１は、押圧力の大きさに対応して、導通の度合（抵抗値）が変化する圧力−抵抗変換素子であり、無荷重状態では絶縁状態であるが、押圧により抵抗値が低下して導通状態となる。
【００１５】
測定者３は、着座後、両足を宙に浮かせ、荷重シート１０上に全体重をかければよい。荷重シート１０からの体重に対応した信号（抵抗値変化量）は、演算部（基盤１１３）で演算され、体重に変換され、表示部１１２に表示される。シート状の操作パネル１１を持ち上げれば、体重を知ることができる。
【００１６】
本発明の体重計１は、測定者３の体重を荷重シート１０の広い接面で受けることにより、荷重シート１０にかかる荷重を均等にして安定に体重が計測できる。また荷重シート１０（荷重センサ１０１）が便座上面にあるため、便座に関する重量補正の必要がない。
【００１７】
なお図１には、表示パネル１１を荷重シート１０のシート延長部分に配置し、両者を一体化した態様で示したが、これに限定されるものではない。たとえば、接続ライン１２を荷重シート１０から外延させて、操作パネル１１を荷重シート１０と別体とし、操作パネル１１を着座前面の床面上に置く態様（図示せず）としてもよく、また接続ライン１２を着座背面側に配置して、操作パネル１１を壁のフックなどに係止する態様（図示せず）などとしてもよく、このような変更は適宜に行うことができる。
【００１８】
また図３には、荷重センサ１０のシート形態は、加圧導電ゴム１０１を２枚のフィルム１０２，１０３間に複数分割して配置した態様で示したが、加圧導電ゴム１０１を連続シートとしてフィルム１０２，１０３との積層シートとしてもよい。フィルム１０２，１０３は防水性材料であり、特に上面フィルム１０２は加圧導電ゴム１０１の荷重伝達を妨げない可撓性の材料であればよい。
【００１９】
便器２を使用しない時には、図５に示すように、蓋２２の空間部内に体重計１を収納しておくこともできる。この場合には、操作パネル１０部分を折り曲げ、操作パネル１０の先端部に設けた着脱可能な面ファスナ１１４を、蓋２２の対応位置にある面ファスナー２２２に係止させて固定することができる。便器２の使用時でも体重測定をしない時には、体重計１を蓋２２に固定したままとすれば、便座２１を露出して使用することができる。
【００２０】
上記体重計１は、上記演算部１１３ａで信号から体重に変換されたデータを記憶する記憶部（メモリ）を含む態様も好ましい。また記憶部からのデータを出力する出力ポートを有する態様も好ましい。さらに時計、個人情報入力手段などを含み、測定された体重データをこれらデータと対応させて記憶させることもできる。たとえば記憶部に記憶された体重から個人別の１日あたりの平均体重を算出し、個人別に記憶部に最新の所定日数分保存することができる。記憶部に保存された所定日数分の個人別データを、定期的にパソコンに取り込み、健康管理することができる。
【００２１】
具体的には、複数の人（たとえば４人家族）が使うことを想定して、基盤１１３の記憶部（図示せず）に、Ａ〜Ｄ個人別のデータバンクを設ける。Ａが１日に５回使用した場合、使用時の体重を表示部１１２に表示し、データバンクには１日の平均値を記録する。各人のデータ（平均値）は４０日分保存し、４１日目のデータ（平均値）は初日のデータ（平均値）に置換えれば、個人Ａ〜Ｄを指定して、ポートから１ケ月毎のデータをパソコンに取り込むことができる。
【００２２】
【発明の効果】
本発明に係る体重計は、既成の設置された便器にも、便座を交換せずに容易に装着することができる。
本発明の体重計は、広い接面で荷重を受けることにより、荷重を均等にして安定に体重が計測できる。また荷重センサが便座上面にあるため、便座に関する重量補正の必要がない。
用便時に体重が測定できるので、頻繁に体重測定することも容易であり、そのデータをパソコンなどに出力して健康管理データとして利用することも容易である。
【図面の簡単な説明】
【図１】本発明の便座着脱式体重計の実施形態例を便座に装着状態で示す斜視図である。
【図２】本発明の便座着脱式体重計の構成例を示す図である。
【図３】本発明に係る便座着脱式体重計の実施形態例を示す部分断面図である。
【図４】本発明の便座着脱式体重計の使用状態を示す図である。
【図５】本発明に係る便座着脱式体重計を使用していない時の実施形態例を示す説明図である。
【符号の説明】
１…体重計
１０…荷重シート
１０１…加圧導電ゴム（荷重センサ）
１０２…上面フィルム
１０３…下面フィルム
１０４…配線
１０５…固定テープ
１０６…固定手段
１１…操作パネル
１１１…スイッチ
１１２…表示部
１１３…基盤
１１３ａ…演算部
１１４…着脱可能な面テープ
１２…接続ライン
２…便器
２０…便器本体
２１…便座
２２…蓋
２２１…固定手段
２２２…着脱可能な面テープ
【図１】
2005049174.tif 000003
【図２】
2005049174.tif 000004
【図３】
2005049174.tif 000005
【図４】
2005049174.tif 000006
【図５】
2005049174.tif 000007